【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
連続して取得される一連の画像データを信号処理過程でバッファメモリ領域に一時記憶させ、前記バッファメモリ領域から読み出して次の信号処理を行う信号処理部と、
前記一連の画像データについての前記信号処理部における信号処理が行われている間に所定操作を検知することに基づいて、前記バッファメモリ領域に記憶された画像データの少なくとも一部を削除する制御を行う制御部と、を備えた
撮像装置。
【請求項２】
前記制御部は、前記バッファメモリ領域に記憶された画像データの削除は、前記バッファメモリ領域の記憶可能容量が所定量に満たない場合に実行させる
請求項１に記載の撮像装置。
【請求項３】
前記制御部は、前記所定操作の検知とともに一連の画像データの撮像開始操作を検知することに応じて、前記バッファメモリ領域に記憶された画像データの削除を実行させる
請求項１又は請求項２に記載の撮像装置。
【請求項４】
前記制御部は、前記所定操作の検知という条件のみに応じて前記バッファメモリ領域に記憶された画像データの削除を実行させる
請求項１又は請求項２に記載の撮像装置。
【請求項５】
前記信号処理部が異なる信号処理段階の画像データをバッファリングする複数のバッファメモリ領域が用意されており、
前記制御部は、前記所定操作に応じて、前記信号処理部に、複数のバッファメモリ領域に記憶された画像データの全部又は一部の削除を実行させる
請求項１から請求項４のいずれかに記載の撮像装置。
【請求項６】
前記信号処理部が異なる信号処理段階の画像データをバッファリングする複数のバッファメモリ領域が用意されており、
前記制御部は、前記所定操作に応じて、前記信号処理部において一部のバッファメモリ領域に記憶された画像データの全部又は一部の削除を実行させる
請求項１から請求項４のいずれかに記載の撮像装置。
【請求項７】
前記一部のバッファメモリ領域は、前記信号処理部において信号処理過程で用いる最初のバッファメモリ領域である
請求項６に記載の撮像装置。
【請求項８】
前記制御部は、前記バッファメモリ領域に記憶された画像データの一部の削除を実行させる場合には、バッファメモリ領域に記憶された画像データのうち、撮像時刻の古い画像データから削除されるようにする
請求項１から請求項７のいずれかに記載の撮像装置。
【請求項９】
前記制御部は、前記バッファメモリ領域に記憶された画像データの一部の削除を実行させる場合には、バッファメモリ領域に記憶された画像データのうち、撮像時刻の新しい画像データから削除されるようにする
請求項１から請求項７のいずれかに記載の撮像装置。
【請求項１０】
前記制御部は、前記バッファメモリ領域に記憶された画像データの一部の削除を実行させる場合には、バッファメモリ領域に記憶された撮像時刻順の一連の画像データを対象として間引き削除がおこなわれるようにする
請求項１から請求項７のいずれかに記載の撮像装置。
【請求項１１】
前記制御部は、前記バッファメモリ領域に記憶された画像データの一部の削除を実行させる場合には、バッファメモリ領域に記憶された画像データのうち、所定条件で削除対象画像が選択されて削除されるようにする
請求項１から請求項７のいずれかに記載の撮像装置。
【請求項１２】
前記制御部は、前記バッファメモリ領域に記憶された画像データの削除を実行させる場合において、前記バッファメモリ領域から読出中の画像データを除いて画像データの削除を実行させる
請求項１から請求項７のいずれかに記載の撮像装置。
【請求項１３】
前記制御部は、前記バッファメモリ領域に記憶された画像データの削除を実行させる場合において、複数の削除処理方式のうちで１つを選択して、バッファメモリ領域に記憶された画像データの削除を実行させる
請求項１から請求項７のいずれかに記載の撮像装置。
【請求項１４】
前記制御部は、前記信号処理部での前記一連の画像データについての信号処理の完了に至るまでの期間に、信号処理の進行状況を示す表示が表示部において実行されるようにする制御を行う
請求項１から請求項１３のいずれかに記載の撮像装置。
【請求項１５】
前記進行状況を示す表示では、前記一連の画像データのうちで記録メディアへの記録のための処理が完了した画像が提示されるようにする
請求項１４に記載の撮像装置。
【請求項１６】
前記一連の画像データは、連写撮像動作により入力された複数の静止画像データである
請求項１から請求項１５のいずれかに記載の撮像装置。
【請求項１７】
前記一連の画像データは、通常撮像でのフレームレートから切り替えられた高フレームレートの動画撮像動作により入力された複数フレームの画像データである
請求項１から請求項１５のいずれかに記載の撮像装置。
【請求項１８】
筐体上において、前記所定操作のための操作子は、撮像開始操作のための操作子と同時に片手では操作できない状態に設けられている
請求項１から請求項１７のいずれかに記載の撮像装置。
【請求項１９】
前記所定操作のための操作子はボタン型の操作子である
請求項１から請求項１８のいずれかに記載の撮像装置。
【請求項２０】
連続して取得される一連の画像データを信号処理過程でバッファメモリ領域に一時記憶させ、前記バッファメモリ領域から読み出して次の信号処理を行う信号処理部を有する撮像装置の撮像方法として、
撮像動作により得られた一連の画像データについての前記信号処理部における信号処理が行われている間に、所定操作を検知する手順と、
前記所定操作を検知することに基づいて、前記バッファメモリ領域に記憶された画像データの少なくとも一部の削除を実行させる手順と、
を行う撮像方法。
【手続補正２】
【補正対象書類名】明細書
【補正対象項目名】０００７
【補正方法】変更
【補正の内容】
【０００７】
本技術に係る撮像装置は、連続して取得される一連の画像データを信号処理過程でバッファメモリ領域に一時記憶させ、前記バッファメモリ領域から読み出して次の信号処理を行う信号処理部と、前記一連の画像データについての前記信号処理部における信号処理が行われている間に所定操作を検知することに基づいて、前記バッファメモリ領域に記憶された画像データの少なくとも一部を削除する制御を行う制御部と、を備える。
信号処理部では、イメージセンサからの画像データの読出処理、画像データの現像処理、画像データの記録メディアへの書込処理等を行う。この場合、連写撮像や高フレームレート動画（例えばスーパースロー動画）の撮像／記録などで、イメージセンサからの画像データの読出を高速に行っても、バッファメモリ領域を備えることで、各画像データについて順次現像処理や書込処理等を行っていくことができる。ところが信号処理の遅れによりバッファメモリ領域がいっぱいになっていると、次の連写等が可能となるまで待機しなければならない。そこでバッファメモリ領域において画像データを強制的に削除し、バッファメモリ領域の記憶可能容量を確保できるようにする。
【手続補正３】
【補正対象書類名】明細書
【補正対象項目名】００１９
【補正方法】変更
【補正の内容】
【００１９】
上記した本技術に係る撮像装置においては、前記制御部は、前記バッファメモリ領域に記憶された画像データの削除を実行させる場合において、複数の削除処理方式のうちで１つを選択して、バッファメモリ領域に記憶された画像データの削除を実行させることが考えられる。
例えば削除処理方式としては、全削除、古い画像データからの削除、新しい画像データからの削除、間引き削除、所定条件での選択削除などの複数の削除処理方式のうちで１つを選択できるようにする。
【手続補正４】
【補正対象書類名】明細書
【補正対象項目名】００５０
【補正方法】変更
【補正の内容】
【００５０】
この図３の例の場合、信号処理部２０はイメージセンサ１２から供給された信号に対して第１処理部４１で信号処理を行い、バッファメモリ領域５１にバッファリング（一時記憶）する。
なお、バッファメモリ領域５１は信号処理部２０内の各段階の処理である第１処理部４１と第２処理部４２の処理速度の差を緩衝するためのバッファである。以下、信号処理部２０におけるこのような緩衝目的のバッファメモリ領域について、単に「バッファ」とも表記する。
また後述の例も考慮して、この処理速度差の緩衝のための、信号処理部２０における最初のバッファリング段階の記憶領域を「第１バッファ５１」というように順番に「第１」「第２」等を付して表記する。
またバッファメモリ領域にバッファリングされた画像データを全体的には「バッファデータＢＤＴ」と表記し、例えば第１バッファ５１の画像データを「バッファデータＢＤＴ１」とする。
【手続補正５】
【補正対象書類名】明細書
【補正対象項目名】００５７
【補正方法】変更
【補正の内容】
【００５７】
制御部３０は第１処理部４１、第２処理部４２、第３処理部４３、第４処理部４４の信号処理に関する指示や、第１バッファ５１、第２バッファ５２、第３バッファ５３のバッファデータＢＤＴの消去に関する制御を行う。
第１バッファ５１、第２バッファ５２、第３バッファ５３は信号処理部２０を構成するチップ内外のＲＡＭ等が用いられるが、第１バッファ５１、第２バッファ５２、第３バッファ５３は共通のＲＡＭが用いられてもよいし別体のＲＡＭが用いられてもよい。
【手続補正６】
【補正対象書類名】明細書
【補正対象項目名】００８４
【補正方法】変更
【補正の内容】
【００８４】
・音（ゴルフや野球の打球音など）
図２では省略したが、通常デジタルカメラにはマイクロホンが装備され音声入力／記録が可能とされている。そこで撮像時の音声データを保存しておき、際だった音声データが得られるタイミングでの画像データを保存する対象とし、他を削除対象とする。例えばゴルフや野球の打球音のタイミングで撮像されたタイミングを中心にしたいくつかの画像データを保存し、そのタイミングから離れた時点で撮像された画像データを削除対象とする。これにより連写中でも特に重要なシーンを残すことができる。
【手続補正７】
【補正対象書類名】明細書
【補正対象項目名】００８６
【補正方法】変更
【補正の内容】
【００８６】
・レンズ条件
バッファデータＢＤＴとしての各画像データの撮像時の光学系１１によるレンズの動作状態に応じて選別する。
例えばワイド／テレの条件で選別する。広角（ワイド）状態での画像データはトリミングにより被写体を抽出できることから、ワイド画像を残し、テレ側の画像を削除対象とする。
またパワーズームの場合のズームレンズ動作速度によって選別する。
またフォーカスレンズの動作速度によって選別する。いずれも動作中（動作速度が速い期間）に撮像された画像データを優先して削除対象とする。
【手続補正８】
【補正対象書類名】明細書
【補正対象項目名】０１１４
【補正方法】変更
【補正の内容】
【０１１４】
なお、ここでは一部のバッファメモリ領域を削除対象とする例として、第１バッファ５１を対象とする例としたが、第２バッファ５２のみを削除対象とする場合も考えられる。さらに図５のように第１バッファ５１、第２バッファ５２、第３バッファ５３を有する場合に、第１バッファ５１と第２バッファ５２を削除対象とすることも考えられる。
【手続補正９】
【補正対象書類名】明細書
【補正対象項目名】０１６７
【補正方法】変更
【補正の内容】
【０１６７】
また、バッファメモリ領域での画像データの削除とは別に、信号処理部２０が処理過程の画像データを削除するようにしてもよい。例えば強制復帰ボタン３の操作に応じて、信号処理部２０が演算処理により生成した画像データを、次のバッファメモリ領域に書き込まない（又は記録メディア１５ａへ出力しない）ようにすることで、上述の第１処理部４１、第２処理部４２、第３処理部４３等で処理されている途中の画像データを破棄してしまうようなことも考えられる。
さらに、バッファメモリ領域での画像データの削除だけで無く、記録メディア１５ａでの画像の削除に実施の形態の技術を適用することもできる。例えば連写により記録メディア１５ａに記録された画像データが大量に増え、容量が不足した場合に、強制復帰ボタン３の操作に応じて、その直前の連写により記録した画像データの全部又は一部を削除するという処理が想定される。この場合に、上述した各実施の形態の処理例が適用できる。
【手続補正１０】
【補正対象書類名】明細書
【補正対象項目名】０１７１
【補正方法】変更
【補正の内容】
【０１７１】
１…撮像装置、２…レリーズボタン、３…強制復帰ボタン、４…ボタン、５…ダイヤル、８…鏡筒、９…グリップ部、１１…光学系、１２…イメージセンサ、１３…光学系駆動部、１４…センサ部、１５…記録部、１５ａ…記録メディア、１６…通信部、１７…表示部、１８…操作部、１９…電子ビューファインダ、２０…信号処理部、３０…制御部、
４１…第１処理部、４２…第２処理部、４３…第３処理部、４４…第４処理部、５１…第１バッファ、５２…第２バッファ、５３…第３バッファ
【手続補正１１】
【補正対象書類名】図面
【補正対象項目名】図４
【補正方法】変更
【補正の内容】
【図４】
2019036904.tif 000001